(57)【要約】【課題】  ブレード上にワークを複数個支持して同時にインフィード方式で研削することができるセンタレス研削技術を提供する。【解決手段】  調整車２の回転軸心を砥石車１の回転軸心に対して平行に配置するとともに、砥石車１と調整車２の間に配置されたブレード３の傾斜支持面１２ａ、１２ｂをワークＷの送込み方向Ｘに対して上向きに傾斜させることにより、ワークＷに送込み方向Ｘの推力を与えるようにする。これにより、ブレード３上にワークＷを２つ支持して同時にインフィード方式で研削することが可能となる。【選択図】  図１
2005224918.tif 000002
【特許請求の範囲】
【請求項１】
工作物を調整車とブレードにより回転支持しながら、回転駆動する砥石車を工作物に対して相対的に切り込んで工作物外周面をインフィードでセンタレス研削する方法であって、
前記調整車の回転軸心を前記砥石車の回転軸心に対して平行に配置するとともに、これら砥石車と調整車の間に配置された前記ブレードの支持面を工作物の送込み方向に対して上向きに傾斜させることにより、工作物に前記送込み方向の推力を与えるようにした
ことを特徴とするセンタレス研削方法。
【請求項２】
前記ブレードの支持面の少なくとも両側部位を、前記工作物の送込み方向に対してそれぞれ上向きに傾斜させて、これら傾斜支持面に載置させた複数個の工作物を同時にインフィード研削する
ことを特徴とする請求項１に記載のセンタレス研削方法。
【請求項３】
前記砥石車および調整車の外周面のプロフィールは、前記砥石車および調整車が前記ブレードの傾斜支持面に支持された工作物の軸方向全長に対して、それぞれ等距離をもって対向するように形成されている
ことを特徴とする請求項２に記載のセンタレス研削方法。
【請求項４】
前記ブレードの傾斜支持面に支持された工作物の加工部に工作物飛出し防止用流体を噴射供給するとともに、この流体の噴射圧が前記工作物の後端面にかかるように構成する
ことを特徴とする請求項２または３に記載のセンタレス研削方法。
【請求項５】
工作物を調整車とブレードにより回転支持しながら、回転駆動する砥石車を工作物に対して相対的に切り込んで工作物外周面をインフィードでセンタレス研削するセンタレス研削盤であって、
前記調整車の回転軸心が前記砥石車の回転軸心に対して平行に配置されるとともに、これら砥石車と調整車の間に配置された前記ブレードの支持面の少なくとも両側部位が、工作物の送込み方向に対してそれぞれ上向きに傾斜した傾斜支持面とされてなり、
これらブレードの傾斜支持面に支持された複数の工作物にそれぞれ送込み方向の推力が与えられて、前記砥石車による工作物の複数個同時インフィード研削が行われる構成とされている
ことを特徴とするセンタレス研削盤。
【請求項６】
前記ブレードの傾斜支持面に支持された工作物の軸方向全長に対して、前記砥石車および調整車がそれぞれ等距離をもって対向するように、これら砥石車および調整車の外周面のプロフィールが形成されている
ことを特徴とする請求項５に記載のセンタレス研削盤。
【請求項７】
前記砥石車および調整車の外周面形状を修正するドレッシング装置を備え、
このドレッシング装置は、前記砥石車および調整車の外周面のプロフィールを回復維持するドレスプログラムに従って駆動制御される構成とされている
ことを特徴とする請求項６に記載のセンタレス研削盤。
【請求項８】
前記ブレードの傾斜支持面に支持された工作物の加工部に工作物飛出し防止用流体を供給する流体供給装置を備え、
この流体供給装置の噴射ノズルは、前記工作物の後端面に飛出し防止用流体の噴射圧がかかるように構成配置されている
ことを特徴とする請求項５から７のいずれか一つに記載のセンタレス研削盤。
【発明の詳細な説明】
【技術分野】
【０００１】
この発明は、センタレス研削方法およびセンタレス研削盤に関し、さらに詳細には、特に鍔付工作物の外周面をインフィード方式でセンタレス研削するのに適したセンタレス研削技術に関する。
【背景技術】
【０００２】
一般に、インフィード方式によるセンタレス研削は、直径差の段付きや端部に鍔部を有する鍔付きの工作物等、スルーフィード方式では不可能な形状を有する工作物（以下ワークと称する。）の外周面を加工するに実施されている。
【０００３】
インフィード研削は、図４（ａ）に示すように、ワークＷを調整車ａとブレードｂにより回転支持しながら、回転駆動する砥石車ｃをワークWに対して相対的に切り込んでワークWの外周面を研削するものであり、図４（ｂ）に示すように、調整車ａの回転軸心ｄを、ワークＷの送込み方向Ｘつまりブレードｂの支持面に対してストッパーｅ側下方（図面において左側下方）に傾ける（送り角を与える）ことによって、ワークＷの送込み方向Ｘへの推力を確保している。
【０００４】
ところで、インフィード研削においては、ワークを砥石車と調整車の間に軸方向へ連続して通過させながら研削するスルーフィード方式に比較して研削能率・生産能率が悪く、この点の改良がインフィード研削を必要とするこの種ワークの多量生産化のため要望されていた。
【０００５】
なお、本出願人の知る限りにおいて、このような点に着目・改良した先行技術はまだ存在しない。
【発明の開示】
【発明が解決しようとする課題】
【０００６】
本発明は、かかる従来の問題点に鑑みてなされたものであって、その目的とするところは、ブレード上にワークを複数個支持して同時にインフィード方式で研削することができるセンタレス研削方法を提供することにある。
【０００７】
また、本発明の他の目的とするところは、上記センタレス研削方法を実施するのに適した構造を備えるセンタレス研削盤を提供することにある。
【課題を解決するための手段】
【０００８】
上記目的を達成するため、本発明のセンタレス研削方法は、ワークを調整車とブレードにより回転支持しながら、回転駆動する砥石車をワークに対して相対的に切り込んでワーク外周面をインフィードでセンタレス研削する方法であって、上記調整車の回転軸心を上記砥石車の回転軸心に対して平行に配置するとともに、これら砥石車と調整車の間に配置された上記ブレードの支持面をワークの送込み方向に対して上向きに傾斜させることにより、ワークに上記送込み方向の推力を与えるようにしたことを特徴とする。
【０００９】
ここに、ワークの送込み方向とは、上記砥石車の加工部に対してワークが送り込まれる方向を意味し、より具体的には、ワークが上記砥石車の加工部に対して送り込まれる砥石車の軸線に平行な方向をいう（以下、本明細書全体を通じて同様とする）。
【００１０】
好適な実施態様として、上記ブレードの支持面の少なくとも両側部位を、上記ワークの送込み方向に対してそれぞれ上向きに傾斜させて、これら傾斜支持面に載置させた複数個のワークを同時にインフィード研削する。
【００１１】
この場合、上記砥石車および調整車の外周面のプロフィールは、上記砥石車および調整車が上記ブレードの傾斜支持面に支持されたワークの軸方向全長に対して、それぞれ等距離をもって対向するように形成され、より具体的には、これら砥石車および調整車の外周面が上記ブレードの傾斜支持面に支持されたワークの外周面の仕上げ形状に対して軸方向全長にわたり線接触するように形成される。
【００１２】
また、上記ブレードの軸方向位置の規制方法として、（ａ）上記ブレードの傾斜支持面に隣接する支持面に、上記傾斜支持面に支持されたワークの軸方向位置を規定するストッパ部材を載置する、および（ｂ）上記ブレードの両側部位の傾斜支持面に支持された２つのワークが後端に鍔部を有する形状であれば、これらワークの鍔部が、それぞれ上記ブレードの前後端面に係止してワーク自体の軸方向位置を規定するストッパとして機能するように構成する、などの方法を好適に採用し得る。
【００１３】
さらに好適には、上記ブレードの傾斜支持面に支持されたワークの加工部にワーク飛出し防止用流体を噴射供給するとともに、この流体の噴射圧は上記ワークの後端面にかかるように構成するのが望ましい。
【００１４】
本発明のセンタレス研削盤は、上記センタレス研削方法の実施に好適なものであって、上記調整車の回転軸心が上記砥石車の回転軸心に対して平行に配置されるとともに、これら砥石車と調整車の間に配置された上記ブレードの支持面の少なくとも両側部位が、ワークの送込み方向に対してそれぞれ上向きに傾斜した傾斜支持面とされてなり、これらブレードの傾斜支持面に支持された複数のワークにそれぞれ送込み方向の推力が与えられて、上記砥石車によるワークの複数個同時インフィード研削が行われる構成とされていることを特徴とする。
【００１５】
この場合、好適な実施態様として、上記ブレードの傾斜支持面に支持されたワークの軸方向全長に対して、上記砥石車および調整車がそれぞれ等距離をもって対向するように、これら砥石車および調整車の外周面のプロフィールが形成され、より具体的には、上記砥石車および調整車の外周面が上記ブレードの傾斜支持面に支持されたワークの外周面の仕上げ形状に対して軸方向全長にわたり線接触するように形成される。
【００１６】
また、上記砥石車および調整車の外周面形状を修正するドレッシング装置を備え、このドレッシング装置は、上記砥石車および調整車の外周面のプロフィールを回復維持するドレスプログラムに従って駆動制御される構成とされる。この場合、上記ドレッシング装置のドレッサの切込み構成が一方向切込みとされるのが望ましい。
【００１７】
さらに、上記ブレードの軸方向位置の規制手段として、（ａ）上記ブレードの傾斜支持面に隣接する支持面に、上記傾斜支持面に支持されたワークの軸方向位置を規定するストッパ部材が載置される構成とされる、および（ｂ）上記ブレードの両側部位の傾斜支持面に支持された２つのワークが後端に鍔部を有する形状である場合に、これらワークの鍔部が、それぞれ上記ブレードの前後端面に係止してワーク自体の軸方向位置を規定するストッパとして機能する構成とされる、などの構成が好適に採用される。
【００１８】
また、上記ブレードの傾斜支持面に支持されたワークの加工部にワーク飛出し防止用流体を供給する流体供給装置を備え、この流体供給装置の噴射ノズルは、上記ワークの後端面に飛出し防止用流体の噴射圧がかかるように構成配置されることが望ましい。
【００１９】
本発明のセンタレス研削技術は、本発明者による種々の試験研究の成果として生まれた。すなわち、本発明者は、インフィード研削における従来からの懸案事項であった研削能率・生産能率の向上を目指して、インフィード研削を必要とするこの種ワークの多量生産化を実現すべく、種々の改良を検討してみたがいずれも抜本的な解決には至らなかった。
【００２０】
例えば、本発明が完成に至るのに先立って、従来のインフィード方式における基本構成を維持しつつ、砥石車の軸方向の前部と後部で２個のワークを同時に研削する方法の実現を目指してみた。しかしながら、ワークの送込み方向への推力を確保するために、調整車には送り角が設けられていることから、上記のような研削方法を採ろうとすると、一方のつまり前部のワークについては送込み方向への推力が確保できるものの、他方のつまり後部のワークについては上記送込み方向と逆方向への推力が生じてしまい、結果として、前後部での２個同時研削（２方向送込み研削）は実現しなかった。
【００２１】
このような本発明者による試行錯誤の後、本発明が完成するに至ったのである。
【発明の効果】
【００２２】
すなわち、本発明によれば、調整車の回転軸心を砥石車の回転軸心に対して平行に配置するとともに、これら砥石車と調整車の間に配置されたブレードの支持面をワークの送込み方向に対して上向きに傾斜させることにより、ワークに上記送込み方向の推力を与えるようにしたから、このような傾斜支持面を上記ブレード上に複数箇所設けることにより、ブレード上にワークを複数個支持して同時にインフィード方式で研削することが可能となる。このような複数個ないしは多数個同時研削は、ワーク１個当たりの研削サイクルタイムが１／Ｎ（Ｎ：ワークの研削個数）となって、研削能率・生産能率の向上が図れる。
【発明を実施するための最良の形態】
【００２３】
以下、本発明の実施形態を図面に基づいて詳細に説明する。
【００２４】
本発明に係るセンタレス研削盤が図１〜図３に示されており、この研削盤は、具体的には鍔付きのワ−クＷの軸部Wａを複数個ないしは多数個同時にインフィード方式でセンタレス研削するもので、図示の実施形態においては２つのワークＷ、Ｗを同時研削する構成とされており、砥石車１、調整車２、ブレード３およびドレッシング装置４を主要部として構成されている。
【００２５】
砥石車１は、２つのワークＷ、Ｗの軸部Ｗａ、Ｗａの外周面に研削加工を施すもので、その一対の砥石面（外周面）１ａ、１ｂが、ワークＷの軸部Ｗａ、Ｗａの最終形状つまり軸部Ｗａ、Waの外周面の最終仕上げ形状に対応したプロフィールを備える。砥石車１の具体的形状構造については、上記一対の砥石面１ａ、１ｂを備える限り特に限定されず、図示の実施形態においては、砥石車１の前後両側部位に上記砥石面１ａ、１ｂがそれぞれ設けられているが、これら砥石面１ａ、１ｂをそれぞれ外周面に備える砥石車（図示省略）が後述する同一の砥石車軸１０に取付け固定されても良い。なお、砥石車１の砥石面１ａ、１ｂの具体的なプロフィールについては後述する。
【００２６】
上記砥石車１は従来公知の一般的基本構造を備えている。つまり、砥石車１は、上記砥石車軸１０に取外し可能に取付け固定されて、この砥石車軸１０が固定的に設けられた砥石車台上（図示省略）に回転可能に軸承されるとともに、動力伝導ベルトや歯車機構等の動力伝達手段を介して駆動モータ等の駆動源に駆動連結されている。
【００２７】
調整車２は、２つのワークＷ、Ｗの軸部Ｗａ、Ｗａの外周面を回転支持するもので、その一対の回転支持面（外周面）２ａ、２ｂが、ワークＷの軸部Ｗａ、Ｗａの最終形状つまり軸部Ｗａ、Waの外周面の最終仕上げ形状に対応したプロフィールを備える。調整車２の具体的形状構造については、上記砥石車１と同様、上記一対の回転支持面２ａ、２ｂを備える限り特に限定されず、図示の実施形態においては、調整車２の前後両側部位に上記回転支持面２ａ、２ｂがそれぞれ設けられている。この他、これら回転支持面２ａ、２ｂをそれぞれ外周面に備える調整車（図示省略）が後述する同一の調整車軸１１に取付け固定されても良い。なお、調整車２の回転支持面２ａ、２ｂの具体的なプロフィールについては、砥石車１の砥石面１ａ、１ｂと同様に後述する。
【００２８】
この調整車２は従来公知の一般的基本構造を備えている。つまり、調整車２は、調整車軸１１に取外し可能に取付け固定され、この調整車軸１１が調整車台上（図示省略）に回転可能に軸承されるとともに、動力伝導ベルトや歯車機構等の動力伝達手段を介して駆動モータ等の駆動源に駆動連結されている。
【００２９】
また、後述するように、２つのワークＷ、Ｗの同時研削を可能とするため、調整車２のの回転軸線つまり調整車軸１１は、砥石車１の回転軸線つまり砥石車軸１０に対して平行に配置されている。
【００３０】
ブレード３は、調整車２と共にワークＷの軸部Ｗａを支持するもので、上記調整車２と同様に上記調整車台上に設置されて、上記砥石車１と調整車２の間にその軸心と平行に延びるとともに、その上端面１２が調整車側下方へ傾斜した支持面とされている。
【００３１】
このブレード３の支持面１２のうち、前後両側端部（両側部位）１２ａ、１２ｂは、図１（ｂ）に示すように、その側面視において、ワークの送込み方向Ｘに対してそれぞれ上向きに傾斜した傾斜支持面とされてなり、これら両傾斜支持面１２ａ、１２ｂにより、二つのワークＷ、Ｗの軸部Ｗａ、Ｗａがそれぞれ支持される。この場合、二つのワークＷ、Ｗは、図１（ａ）および（ｂ）に示すように、その鍔部Ｗｂ、Ｗｂが機械の外側つまり前後側に向くようにして、傾斜支持面１２ａ、１２ｂ上に載置支持される。
【００３２】
図示の実施形態においては、上記ワークの送込み方向Ｘは、砥石車１の軸線つまり砥石車軸１０（および調整車軸１１）に平行な水平方向に設定されており、ブレード３の傾斜支持面１２ａ、１２ｂは、図１（ｂ）に示すように、この水平方向のワークＷの送込み方向Ｘに対してそれぞれ上向きに所定角度θだけ傾斜されている。
【００３３】
そして、上記ブレード３の前後両傾斜支持面１２ａ、１２ｂに支持されたワークＷ、Ｗには、回転駆動する調整車２とブレード３により回転支持されながら、回転駆動する砥石車１によりインフィードでセンタレス研削されるに際して、上記傾斜支持面１２ａ、１２ｂの傾斜作用により、上記送込み方向Ｘの推力が与えられることになる。
【００３４】
また、これに関連して、砥石車１の加工部（砥石面１ａ、１ｂに対応した部位）におけるワークＷの軸方向位置を規制する必要がある。図示の実施形態においては、ワ−クＷ、Ｗが鍔部Ｗｂ、Ｗｂを有することから、図１（ｂ）に示すように、これら鍔部Ｗｂ、Ｗｂがそれぞれ上記ブレード３の前後端面３ａ、３ｂに係止して、ワークＷ、Ｗ自体の軸方向位置を規定するストッパとして機能する構成とされている．
【００３５】
なお、図１（ａ）および（ｂ）に仮想線で示すように、ブレード３の両傾斜支持面１２ａ、１２ｂに隣接する支持面、つまり両傾斜支持面１２ａ、１２ｂの間の水平支持面１２ｃに、円筒状のストッパ部材１５が載置されてもよい。すなわち、このストッパ部材１５の前後両端面１５ａ、１５ｂが、それぞれワークＷ、Ｗの先端面Ｗｃ、Ｗｃを当接係止して、ワークＷ、Ｗの軸方向位置を規定する。
このストッパ構成は、特にワ−クＷ、Ｗが鍔部Ｗｂ、Ｗｂを有さない場合に有効である。
【００３６】
また、ワークＷが、砥石車１および調整車２に対して上下方向へ傾斜した状態で、回転支持されかつ研削されることに関連して、砥石車１の砥石面１ａ、１ｂと調整車２の回転支持面２ａ、２ｂの具体的なプロフィールは、以下に述べるように構成されるとともに、ドレッシング装置４によるこれら外周面１ａ、１ｂおよび２ａ、２ｂの形状修正も、以下の具体的なプロフィールを回復維持するように行われる。
【００３７】
（１）まず、ワークＷを傾けて研削するため、ワークＷの軸部Ｗａの外径寸法は、砥石車１および調整車２の外周面との接触位置に対応して異なる。具体的には図２（ａ）に示すように、ワークＷの軸部Ｗａの先端側部位は、点ａおよび点ｃで接触するため太くなり（大径寸法）、その反対側である後端側部位（つまり機械の外側部位）は、点ｂおよび点ｄで接触するため細くなる（小径寸法）。
【００３８】
したがって、ブレード３の傾斜支持面１２ａ、１２ｂに支持されたワークＷ、Ｗの軸方向全長に対して、砥石車１および調整車２の外周面１ａ、１ｂおよび２ａ、２ｂがそれぞれ等距離をもって対向し接触するように、これら外周面１ａ、１ｂおよび２ａ、２ｂのプロフィールが形成される。つまり、砥石車１の砥石面１ａ、１ｂと調整車２の回転支持面２ａ、２ｂは、図２（ｂ）に示すように、ワークＷの軸部Ｗａの先端側部位が接触する点ａおよび点ｃ側で太く（大径寸法）、ワークＷの軸部Ｗａの後端側部位が接触する点ｂおよび点ｄ側で細く（小径寸法）なるように形成される。
【００３９】
（２）また、ワークＷを傾けると、ワークＷの軸部Ｗａの軸線に垂直な方向から見た場合、砥石車１および調整車２の外周面は図３（ａ）に示すような中高の凸円弧状の断面輪郭を描き、これがため、ワークＷの軸部Ｗａとの接触は中高の当たりとなって点接触となってしまう（点ｐ部分）。
【００４０】
したがって、砥石車１および調整車２の外周面１ａ、１ｂおよび２ａ、２ｂのプロフィールは、これら外周面１ａ、１ｂおよび２ａ、２ｂがブレード３の傾斜支持面１２ａ、１２ｂに支持されたワークＷ、Ｗの軸部Ｗａの外周面の仕上げ形状に対して軸方向全長にわたり線接触するように形成される。つまり、砥石車１の砥石面１ａ、１ｂと調整車２の回転支持面２ａ、２ｂは、砥石車１および調整車２の回転軸線（軸１０、１１の軸心）に垂直な方向から見た場合、図３（ｂ）に示すごとく中低の凹円弧状の断面輪郭を描くように形成され、これにより、図３（ａ）において仮想線で示すような直線状の断面輪郭が得られる。
【００４１】
なお、ここで参照した図２および図３は、本発明に係る具体的技術内容の理解を容易にするため、実際の形状寸法に比較して径方向の寸法を拡大して示されている。
【００４２】
ドレッシング装置４は、砥石車１と調整車２の外周面１ａ、１ｂおよび２ａ、２ｂの形状を修正するもので、具体的には、これら各外周面１ａ、１ｂおよび２ａ、２ｂの形状修正専用のドレッサとして、砥石車１側と調整車２側とに一台ずつ、計二台のドレッサ４ａ、４ｂを備えてなる。図示の実施形態のドレッサ４ａ、４ｂは、その先端チップがダイヤモンドからなるダイヤモンド・ドレッサの形態とされている。
【００４３】
これらドレッサ４ａ，４ｂは、図外の制御装置にプログラムされたドレスプログラムに従って、上述した砥石車１と調整車２の外周面１ａ、１ｂおよび２ａ、２ｂのプロフィールを回復維持するように駆動制御される構成とされている。具体的には、ドレッサ４ａ、４ｂは、回転駆動する砥石車１と調整車２に対して、図３（ｂ）に示すような移動軌跡をもって移動するように制御されて、砥石車１と調整車２の外周面１ａ、１ｂおよび２ａ、２ｂの輪郭形状を修正して、上述した所定のプロフィールを回復維持する。
【００４４】
この場合、上記ドレッサ４ａ、４ｂの切込み構成は一方向切込みとされて、バックラッシュの影響を受けないようにされている。なお、ドレッサ４ａ、４ｂは、図示の実施形態のようなダイヤモンド・ドレッサに代えて、円筒外周面のドレッシング面がダイヤモンド砥粒が結合材料により結合されてなる、ロータリ・ダイヤモンド・ドレッサの形態とされてもよい。
【００４５】
さらに、図１に示すように、ブレード３の近傍位置には流体供給装置１５が設けられている。この流体供給装置１５は、研削用クーラント等の影響により、ワークＷ、Ｗが上記加工部のブレード３上から飛び出したりするのを防止するためのもので、主要部として、両ワークＷ、Ｗの加工部にワーク飛出し防止用流体Ａを供給する２つの噴射ノズル１６、１７を備えている。これら噴射ノズル１６、１７は、ワークＷ、Ｗの後端面Ｗｄ、Ｗｄに流体Ａの噴射圧がかかるように構成配置される。なお、ワーク飛出し防止用流体Ａとしては、所期の目的に適合するものであれば特に限定されず、図示の実施形態においては研削用クーラントが用いられている。
【００４６】
具体的には、上記ワークＷ、Ｗの後端面Ｗｄ、Ｗｄは、それぞれブレード３の前後両端近傍位置に設けられるとともに、その噴射口１６ａ、１７ａがブレード３の傾斜支持面１２ａ、１２ｂに支持されたワークＷ、Ｗの後端面Ｗｄ、Ｗｄに向けられている。そして、噴射ノズル１６、１７から噴射される流体Ａは、ワークＷ、Ｗの後端面Ｗｄ、Ｗｄに当たってからワークＷ、Ｗの加工部に供給され、これにより、ワークＷ、Ｗの後端面Ｗｄ、Ｗｄに流体Ａの噴射圧がかかることになる。この結果、ワークＷ、Ｗが研削用クーラント等の影響でワーク加工部から外側に飛び出るのが有効に防止される。
【００４７】
しかして、以上のように構成されたセンタレス研削盤において、図１（ａ）および（ｂ）に示すように、ブレード３の前後両側端部の傾斜支持面１２ａ、１２ｂ上に、二つのワークＷ、Ｗの軸部Ｗａ、Ｗａが、その鍔部Ｗｂ、Ｗｂを機械の外側（前後側）に向くようにして載置支持された状態において、ワークＷ、Ｗは、流体供給装置１５により上述のごとく流体Ａを供給されるとともに、調整車２とブレード３により強制回転支持されながら、その軸部Ｗａ、Ｗａに対して回転駆動する砥石車１が相対的に切り込まれて、軸部Ｗａ、Ｗａの外周面がインフィード方式でセンタレス研削される。
【００４８】
具体的には、調整車２の調整車軸（回転軸心）１１が砥石車１の砥石車軸（回転軸心）１０に対して平行に配置されるとともに、上記ブレード３の傾斜支持面１２ａ、１２ｂがワークＷ、Ｗの送込み方向Ｘに対して上向きに傾斜（傾斜角度θ）されていることにより、ワークＷ、Ｗには上記送込み方向Ｘの推力が与えられて、ワークＷが送込み方向Ｘへ送り込まれるとともに、ワークＷ、Ｗの鍔部Ｗｂ、Ｗｂがそれぞれ上記ブレード３の前後端面３ａ、３ｂに係止することにより、ワークＷ、Ｗ自体の軸方向位置が規定されながら、その軸部Ｗａ、Ｗａが砥石車１により研削されて、最終円筒形状に仕上げ形成される。
【００４９】
また、砥石車１と調整車２の外周面１ａ、１ｂおよび２ａ、２ｂの性状に応じて、定期的にないしは適宜のインターバルをもって、ドレッシング装置４によるドレッシングが前述したドレスプログラムに従ってこれら外周面１ａ、１ｂおよび２ａ、２ｂに施されて、その形状が修正され、上述した所定のプロフィールが回復維持される。
【００５０】
以上のような構成とされることにより、すなわち、調整車２の回転軸心を砥石車１の回転軸心に対して平行に配置するとともに、これら砥石車１と調整車２の間に配置されたブレード３の傾斜支持面１２ａ、１２ｂをワークＷの送込み方向Ｘに対して上向きに傾斜させることにより、ワークＷに上記送込み方向   Ｘの推力を与えるようにしたから、このような傾斜支持面１２ａ、１２ｂをブレード３上に２箇所設けることにより、ブレード３上にワークＷを２つ支持して同時にインフィード方式で研削することが可能となる。
【００５１】
なお、上述した実施形態はあくまでも本発明の好適な実施態様を示すものであって、本発明はこれに限定されることなく、その範囲において種々の設計変更が可能である。
【００５２】
例えば、図示の実施形態においては、ブレード３の両側端部に傾斜支持面１２ａ、１２ｂが設けられて、２つのワークＷ、Ｗを同時研削する構成とされているが、これらブレード３の両側端部に傾斜支持面１２ａ、１２ｂに加えて、同様な傾斜支持面を適宜増設することにより、これら傾斜支持面の設置数に応じた複数個ないしは多数個のワ−クＷ、Ｗ、…を同時にインフィード方式でセンタレス研削することができる。このような複数個ないしは多数個同時研削は、ワーク１個当たりの研削サイクルタイムが１／Ｎ（Ｎ：ワークの研削個数）となって、研削能率・生産能率の向上が図れることとなる。
【図面の簡単な説明】
【００５３】
【図１】本発明の一実施形態であるインフィード方式センタレス研削盤の主要部の概略構成を示し、図１（ａ）は平面図、図１（ｂ）は側面図である。
【図２】同センタレス研削盤における砥石車と調整車のプロフィールの構成を説明するための模式図で、図２（ａ）は、傾斜支持されるワークの軸部外径が砥石車および調整車の外周面との接触位置に対応して異なることを示す図、図２（ｂ）は、この傾斜支持されるワークの軸部の軸方向全長に対して、砥石車および調整車の外周面がそれぞれ等距離をもって対向し接触するための、これら外周面のプロフィールを示す図である。
【図３】同じく同砥石車と調整車のプロフィールの構成を説明するための模式図で、図３（ａ）は、傾斜支持されるワークの軸部の軸線に垂直な方向から見た場合の、砥石車および調整車の外周面の断面輪郭を示す図、図３（ｂ）は、この傾斜支持されるワークの軸部の外周面の仕上げ形状に対して、砥石車および調整車の外周面が軸方向全長にわたり線接触するための、これら外周面の砥石車および調整車の回転軸線に垂直な方向から見た場合の断面輪郭を示す図である。
【図４】従来の一般的なインフィード方式センタレス研削盤の主要部の概略構成を示し、図４（ａ）は平面図、図４（ｂ）は調整車とワークとの関係を示す斜視図である。
【符号の説明】
【００５４】
Ｗ                    ワ−ク
Ｗａ                  ワ−クの軸部
Ｗｂ                  ワ−クの鍔部
Ｗｃ                  ワ−クの先端面
Ｗｄ                  ワ−クの後端面
θ                    送り角（傾斜角度）
Ａ                    流体（ワーク飛出し防止用流体）
１                    砥石車
１ａ、１ｂ            砥石車の砥石面（外周面）
２                    調整車
２ａ、２ｂ            調整車の回転支持面（外周面）
３                    ブレード
３ａ、３ｂ            ブレードの端面
４                    ドレッシング装置
４ａ、４ｂ            ドレッシング装置のドレッサ
１０                  砥石車軸（砥石車の回転軸線）
１１                  調整車軸（調整車の回転軸線）
１２                  ブレードの支持面
１２ａ、１２ｂ        ブレードの傾斜支持面
１５                  流体供給装置
１６、１７            噴射ノズル
【図１】
2005224918.tif 000003
【図２】
2005224918.tif 000004
【図３】
2005224918.tif 000005
【図４】
2005224918.tif 000006